(57)【特許請求の範囲】
【請求項１】
磁気ギャップを有する磁気回路と、この磁気回路に装着されたフレームと、このフレームの外周縁近傍に設けられた外部接続用端子と、上記磁気ギャップにはめ込まれるボイスコイルと、このボイスコイルのコイルに予め一端が接続されるとともに他端が上記外部接続用端子に接続された錦糸線と、上記ボイスコイルの外周に結合されるリング上の接続片と、この接続片に予め内周が結合され外周が上記フレームに結合される振動板およびダンパーとで構成されたスピーカ。
【発明の詳細な説明】
【０００１】
【発明の属する技術分野】
本発明は各種音響機器に使用されるスピーカに関するものである。
【０００２】
【従来の技術】
従来の技術を図２のスピーカの側半断面図により動作とともに説明する。
【０００３】
まず音響機器等の増幅器（図示せず）により増幅された音声信号が端子２５に印加されると、端子２５に接続されたフレキシブルの錦糸線２８へと伝わる。錦糸線２８の一端は振動板２６に固定され、ボイスコイル２７から伸びたリード線へと接続される。
【０００４】
また、ボイスコイル２７はマグネット２３から発生する磁気を集めたプレート２２，２４と交差する点に置かれ、音声信号である電流に応じてフレミングの左手の法則にしたがって振動を発生させ、この振動を振動板２６に伝達し、さらに空気の粗密状態を作ることにより音声を発生させるものである。
【０００５】
【発明が解決しようとする課題】
以上のスピーカでは、音響機器の増幅器（図示せず）からの入力部（端子２５）がスピーカの背面に設置されているので、スピーカを取付ける場合、増幅器との接続をスピーカ取付け前に行う必要がある。
【０００６】
又、スピーカの背面部に水滴が付くような場所に設置される場合などは接続部及び金属の露出部など錆等が発生しやすく接続不良による動作不具合が発生する可能性を有していた。
【０００７】
また、スピーカの組立時、振動板２６やダンパー２６ａの取付け時のバラツキによって、振幅時にボイスコイル２７を斜めに振動させ、磁気ギャップ２２ａ内での擦りによる異常音の発生の可能性があった。
【０００８】
本発明は以上のような従来の欠点を解決し、増幅器からの接続点をスピーカの上面に設置すると共にボイスコイルまでの金属部を全てスピーカの上面側に設置する構造を有したスピーカを提供しようとするものである。
【０００９】
【課題を解決するための手段】
上記課題を解決するために本発明のスピーカは、磁気ギャップを有する磁気回路と、この磁気回路に装着されたフレームと、このフレームの外周縁近傍に設けられた外部接続用端子と、上記磁気ギャップにはめ込まれるボイスコイルと、このボイスコイルのコイルに予め一端が接続されるとともに他端が上記外部接続用端子に接続された錦糸線と、上記ボイスコイルの外周に結合されるリング状の接続片と、この接続片に予め内周が結合され、外周が上記フレームに結合される振動板およびダンパーとで構成して、スピーカの組立てがスピーカの上方側から行えるとともに、外部の信号手段との接続も上側で行え、接続作業も容易となるものである。
【００１０】
また、ダンパーと振動板はリング状の接続片に予め内周を結合しているので振動板とダンパーの関係をばらつきなく量産できるものである。
【００１１】
【発明の実施の形態】
本発明の請求項１に記載の発明は、磁気ギャップを有する磁気回路と、この磁気回路に装着されたフレームと、このフレームの外周縁近傍に設けられた外部接続用端子と、上記磁気ギャップにはめ込まれるボイスコイルと、このボイスコイルのコイルに予め一端が接続されるとともに他端が上記外部接続用端子に接続された錦糸線と、上記ボイスコイルの外周に結合されるリング上の接続片と、この接続片に予め内周が結合され外周が上記フレームに結合される振動板およびダンパーとで構成し、スピーカの組立てがスピーカの上方側から行えるとともに、外部の信号手段との接続も上側で行え、接続作業も容易となるものである。
【００１２】
また、ダンパーと振動板はリング状の接続片に予め内周を結合しているので振動板とダンパーの関係をばらつきなく量産できるものである。
【００１３】
以下本発明のスピーカの一実施の形態について図１により説明する。
図１は本発明のスピーカの一実施の形態の側半断面図であり、同図によると、１はリング状の上部プレート１ａ、リング状のマグネット１ｂ、センターポールを有する下部プレート１ｃおよび上記センターポールと上記プレート１ａ間に設けられた磁気ギャップ１ｄからなる磁気回路であり、２はこの磁気回路１に結合されたフレームであり、３は上記磁気ギャップ１ｄにはめ込まれるボイスコイルである。
【００１４】
なお、ボイスコイル３に巻回されたコイル端末のリードには予めフレキシブルな錦糸線３ａの一端が接続されるとともに、この接続部分はボイスコイル３上に接着剤等で固着されている。
【００１５】
４はフレーム２の周縁に設けられた外部接続用端子であり、上記錦糸線３ａの他端が半田付け等によって接続される。５は上記ボイスコイル３の外周に結合されたリング状の接続片であり、上下の段部には予め振動板６およびダンパー７の内周がそれぞれ結合されている。なお、上記振動板６およびダンパー７の外周はフレーム２に結合されている。
【００１６】
次に、上記実施の形態のスピーカの一般的な組立方法について説明すると、磁気回路１の形成後、フレーム２を磁気回路１に結合し、錦糸線３ａが接続されたボイスコイル３に振動板６およびダンパー７の内周が結合された接続片５を挿入すると共に、このボイスコイル３を上記磁気ギャップ１ｄにはめ込む。
【００１７】
次に接続片５をボイスコイル３に、振動板６及びダンパー７の外周をフレームにそれぞれ結合し、上記錦糸線３ａの他端を外部接続用端子４に接続して組立てを完成するものである。
【００１８】
なお、ボイスコイル３のコイルのリードに予め錦糸線３ａを接続しておくのは、軽量円筒状のボイスコイル３に錦糸線３ａをスピーカの組立途中で接続した場合より接続の信頼性を確保することが可能であるからであり、接続片５は錦糸線３ａを予めボイスコイル３に接続しておくことによる振動板６やダンパー７のボイスコイル３への挿入結合作業の困難さを回避して上面側よりの組込み作業や結合（例えば接着剤塗布等）作業を可能とするものである。
【００１９】
以上のように上記実施の形態のスピーカは組立作業を上方側で行えるとともに、音響機器等との接続も上方側で極めて作業を容易に行うことができるものである。
【００２０】
更に、接続片５によって振動板６とダンパー７の位置関係を精度良く規制できてスピーカとしての品質の安定化を図ることも可能となるものである。
【００２１】
【発明の効果】
以上のように本発明のスピーカは、極めて作業性良く、且つ品質の安定化を図ったスピーカを提供できるものである。
【００２２】
即ち、
（１）スピーカの前面において電気系の配線が行われるためスピーカの背面に対する使用条件の制約が少なくなり信頼性の高いスピーカとなる。
（２）スピーカの取付け時、増幅器からのコード接続がスピーカの前面にて行うため、接続に対する作業性が向上する。
（３）スピーカの組立時、振動板とダンパーとの間隔が一定に保持され作成時の不良発生が少なくなると共に強度向上が図れ耐入力向上が図れる。
等の効果が得られるものである。
【図面の簡単な説明】
【図１】本発明のスピーカの一実施の形態の側半断面図
【図２】従来のスピーカの側半断面図
【符号の説明】
１  磁気回路
１ｄ  磁気ギャップ
２  フレーム
３  ボイスコイル
３ａ  錦糸線
４  外部接続用端子
５  接続片
６  振動板
７  ダンパー
【図１】
0003747575.tif 000002
【図２】
0003747575.tif 000003